(57)【要約】【課題】収穫作業が容易で収穫効率の高い山芋栽培器を提供する。【解決手段】任意の部分を開放可能な壁体によって囲閉空間を形成し、囲閉空間の上部の壁体間に山芋の成長芋部が通過可能な孔を有する孔空き板を張設するとともに、孔空き板の上面に成長芋部の伸長で突き抜け可能な無孔体を載せ、囲閉空間の無孔体の上方空間内にムカゴを植える土壌を盛ったことを特徴とする山芋栽培器。【選択図】　　図２
2004057040.tif 000002
【特許請求の範囲】
【請求項１】
任意の部分を開放可能な壁体によって囲閉空間を形成し、囲閉空間の上部の壁体間に山芋の成長芋部が通過可能な孔を有する孔空き板を張設するとともに、孔空き板の上面に成長芋部の伸長で突き抜け可能な無孔体を載せ、囲閉空間の無孔体の上方空間内にムカゴを植える土壌を盛ったことを特徴とする山芋栽培器。
【請求項２】
壁体を所要のものを取り崩すことができるコンクリートブロックやレンガといったブロック体で構成した請求項１の山芋栽培器。
【請求項３】
孔空き板を金網で、無孔体を新聞紙で形成した請求項１又は２の山芋栽培器。
【請求項４】
請求項１〜３いずれかの山芋栽培器による山芋栽培方法であり、土壌に植えたムカゴから延びた成長芋部が孔空き板の下方に伸長すると、壁体の一部を開放して孔空き板下に延びた成長芋部を摘み取ることを特徴とする山芋栽培方法。
【発明の詳細な説明】
【０００１】
【発明の属する技術分野】
本発明は、山芋栽培器及びこれによる山芋栽培方法に関するものである。
【０００２】
【従来の技術】
山芋の栽培に関し、従来から種々の山芋栽培器が提案されている。しかし、これらのものは、すべて山芋の成長芋部を土中で伸長させるものである。これによると、成長した芋部は土中から掘り出さなければならず、大変な労力を強いられるとともに、芋を傷付けるおそれもある。山芋栽培器の中には、成長芋部を筒の中で伸長させて、筒を掘り出せばよいものもあるが、筒は土壌に埋められていることから、筒を掘り出すのに手間がかかるは同じことである。
【０００３】
【発明が解決しようとする課題】
本発明は、山芋は発芽部から成長するものであり、栄養の供給源となる土壌が必要なのは、この発芽部の部分だけであることに着目し、成長芋部の周囲には土壌等を存在させないようにして収穫を容易にするとともに、併せて成長の促進を図ったものである。
【０００４】
【課題を解決するための手段】
以上の課題の下、本発明は、請求項１に記載した、任意の部分を開放可能な壁体によって囲閉空間を形成し、囲閉空間の上部の壁体間に山芋の成長芋部が通過可能な孔を有する孔空き板を張設するとともに、孔空き板の上面に成長芋部の伸長で突き抜け可能な無孔体を載せ、囲閉空間の無孔体の上方空間内にムカゴを植える土壌を盛ったことを特徴とする山芋栽培器を提供する。
【０００５】
本発明の山芋栽培器によれば、成長芋部は孔空き板の下方の囲閉空間内にぶら下がっているから、これを収穫するときには、壁体の一部を開放して中の芋を鋏等で摘み取ればよい。このため、収穫作業が非常に楽であるし、成長芋部が伸長する部分には抵抗となる土壌等が存在しないから、成長も早い。
【０００６】
この場合において、請求項２に記載した、壁体を所要のものを取り崩すことができるコンクリートブロックやレンガといったブロック体で構成する手段、請求項３に記載した、孔空き板を金網に、無孔体を新聞紙によれば、いずれも安価な部材で構築できるし、壁体の取り崩しも容易である。
【０００７】
更に、本発明は、請求項４に記載した、上記の山芋栽培器により、土壌に植えたムカゴから延びた成長芋部が孔空き板の下方に伸長すると、壁体の一部を開放して孔空き板下に延びた成長芋部を摘み取ることを特徴とする山芋栽培方法を提供する。この栽培方法によると、成長芋部の収穫に際して土壌を掘り返す必要がないから、作業が楽である。又、成長芋部の周囲には土壌が存在しないから、抵抗がなく、且つ、重量をまともに受けるから成長が早い。更に、姿も真っ直ぐなものになり、商品価値が上がるとともに、密植も可能になって単位面積当たりの収穫量も多い。
【０００８】
【発明の実施の形態】
以下、本発明の実施の形態を図面を参照して説明する。図１は本発明の一例を示す山芋栽培器の斜視図、図２はこれによって山芋の栽培状況を示す図１のＡーＡ断面図であるが、この山芋栽培器（以下、栽培器）は、適宜な壁体１によって地上に囲閉空間２を形成したものを主体とする。囲閉空間２の形状、大きさ、深さは適宜なものでよいが、０．５〜１ｍ程度の四角形をしたものが手頃であり、高さも１．５ｍもあれば十分である。
【０００９】
この場合、壁体１は何であってもよいが、その一部が開放できることが条件である。この点で、コンクリートブロックやレンガといったブロック体を積み重ねたものが適する。これによると、所要のブロックを取り崩すことで、この部分が開放する。尚、この壁体１には、後述するように土圧はかからないから、崩れない限り、殊更セメント等で固める必要はなく（固めてはならないというのではない）、一部の取り崩しも容易になる。この他、種々の素材の一体物で構成し、その一部にドアを取り付けたようものでもよい。
【００１０】
そして、壁体１の上から１／６程度の深さ、寸法にして１０〜３０ｃｍ程度の深さの個所に囲閉空間２全体に亘って張られる孔空き板３を張設する。この孔空き板３の孔３ａの大きさは、山芋の成長芋部が通過できる程度であればよく、２〜５ｃｍもあれば十分である。この点で、焼き肉料理に使用する金網等は、その大きさや孔の大きさが適し、そのまま使用できる。
【００１１】
次に、孔空き板３の上に無孔体４を載せる。この無孔体４は、この上に盛る土が孔空き板３の下方に落下するのを防ぐものであるが、成長芋部の伸長によって突き破られる程度の弱い強度のものである。この点で、新聞紙等が最適である。そして、無孔体４の上に土５を盛れば、栽培器は完成する。
【００１２】
以上の栽培器を用いる山芋６の栽培方法について説明すると、まず、ムカゴを採取して、土５の中に植える。山芋６は、このムカゴを発芽部６ａとして成長芋部６ｂが成長して行くものであるから、成長芋部６ｂは土５の中を下方に延びて無孔体４を突き抜け、更に、孔空き板３の孔３ａを通過して下方に伸長して行く。このとき、孔空き板３下方の囲閉空間２には土５は存在しないから、成長芋部６ｂは空気中を延びることになる。
【００１３】
尚、成長芋部６ｂが孔空き板３の孔３ａを通過するには、その太さは孔３ａの大きさに限られるが、通過した後は太くなることができるから、孔３ａの大きさはむやみに大きくする必要はない。一方、成長芋部６ｂが成長するためには、栄養や水が必要であるから、この土５に適宜肥料や水を与えればよい。更に、つる６ｃも延びるが、このつる６ｃは土５の上から適当な方向に延びて行くから、それに任せておけばよい（案内具を用いて特定の方向に案内してもよい）。
【００１４】
以上の状態で成長を待てば、成長芋部６ｂは十分に生育して収穫できる。本発明者の試算によると、約３年もすれば、成長芋部６ｂは１ｍ近くまで延びるとのことである。そこで、壁体１の一部を開放し、孔空き板３の下方にぶら下がっている成長芋部６ｂを鋏等で摘み取って収穫する（その後は壁体１は閉じておく）。このとき、摘み取る位置は、約３０ｃｍの首を残すようにすれば、１年後には再び収穫できる程度にまで生育するとのことである。
【００１５】
【発明の効果】
以上、本発明に係る山芋栽培器及びこれによる山芋栽培方法によれば、次のような効果が期待できる。
１．壁体の一部を開放して摘み取るだけでよいから、土を掘り返す等の作業は必要なく、収穫作業が楽である。
２．成長芋部の周囲には、これが伸長するときの抵抗となる土等が存在せず、しかも、重力が直接これにかかるから、成長が早い。
３．重力によって成長芋部は真っ直ぐになる。従って、商品形態も良いし、成長芋部がからまり合うこともないから、密植できて収穫効率が高い。本発明者の試算によると、６０ｃｍ四方で約３００本程度が可能とのことである。
４．成長芋部は囲閉空間内の暗闇の中で成長するから、光が当たって変色したり、味が落ちしたりすることがない。
【図面の簡単な説明】
【図１】本発明の一例を示す山芋栽培器の斜視図である。
【図２】本発明の一例を示す山芋の栽培状況を示す図１のＡーＡ断面図である。
【符号の説明】
１　　壁体
２　　囲閉空間
３　　孔空き板
３ａ　　　〃　の孔
４　　無孔体
５　　土
６　　山芋
６ａ　　〃の発芽部
６ｂ　　〃の成長芋部
【図１】
2004057040.tif 000003
【図２】
2004057040.tif 000004